(57)【要約】【課題】水を美容、ケアの機能が高いとされる超微細気泡水にし、同時に高濃度の酸素を含有した超微細気泡水の発生を制御することができる超微細気泡水発生装置を提供すること。【解決手段】水槽７、ポンプ２、気体吸入器３、圧力タンク４、微細気泡装置５、圧力弁６を含んで構成される。ポンプ２が水槽７と圧力タンク４の間に連結され、圧力タンク４の他側に第１輸送管４２と第２輸送管４３が設けられ、第１輸送管４２に気体をより小さな分子にして、高度気泡混合水を超微細気泡水にする微細気泡装置５が連結され、第２輸送管４３に圧力タンク４内の水と気体の圧力を制御する圧力弁６が連結され、微細気泡装置５が発生する超微細気泡水が水槽７内へと送り込まれる。【選択図】図１
0003176175.tif 000002
【実用新案登録請求の範囲】
【請求項１】
水槽と、
前記水槽内の水を汲み上げるためのポンプと、
前記水槽と前記ポンプとに接続された第１取水管と、
前記水槽内に配置されると共に前記第１取水管の端部に連結され、前記ポンプで前記水槽内の水を汲み上げるときに、水が逆流することを防止する逆止弁と、
前記第１取水管上に設置され、気体を取り込み水中に混合して気泡水を形成するために用いられる気体吸入器と、
前記ポンプの後段に配置されると共に、内部に入れられた前記気泡水を加圧して高度気泡混合水を形成するために用いられ、且つ内部に液体センサーが設置された圧力タンクと、
前記ポンプと前記圧力タンクとに連結された第２取水管と、
前記圧力タンクの後段に配置されると共に、気体をより小さな分子にして、前記高度気泡混合水を超微細気泡水にするために用いられる微細気泡装置と、
一端が前記圧力タンクに連結されると共に他端が前記微細気泡装置に連結され、かつ前記圧力タンク内の前記高度気泡混合水を輸送するための第１輸送管と、
前記圧力タンクの後段に配置され、且つ前記液体センサーと電気的に接続され、前記圧力タンク内の水と気体の圧力を制御して両者間のバランスを取ると共に、前記超微細気泡水の濃度を希釈する機能を備えた圧力弁と、
一端が前記圧力タンクに連結されると共に他端が前記圧力弁に連結された第２輸送管と、
一端が前記微細気泡装置に連結されると共に他端が前記水槽内に配置された第１出水管と、
一端が前記圧力弁に連結されると共に他端が前記第１出水管の中途に連結された第２出水管と、を含んで構成された、
ことを特徴とする超微細気泡水発生装置。
【請求項２】
前記気体吸入器が、一端に前記第１取水管の取水端が連結され、他端に前記第１取水管の出水端が連結され、かつ気体を取り込んで水中に混合するために用いる吸気弁を備えた、ことを特徴とする請求項１に記載の超微細気泡水発生装置。
【請求項３】
前記圧力弁が、電子式圧力弁であり、且つ前記圧力タンク内の水と気体の圧力を制御するために用いるバルブを備えた、
ことを特徴とする請求項２に記載の超微細気泡水発生装置。
【請求項４】
前記圧力弁上に、前記圧力タンク内の水と気体の圧力を制御するために用いるバルブを設けた、
ことを特徴とする請求項２に記載の超微細気泡水発生装置。
【請求項５】
前記第２取水管上に設置された磁化器を備え、前記磁化器内に複数対の磁石が設置され、水が前記第２取水管から前記磁化器に流れるときに前記磁化器が水を軟化、活性化、磁化する、
ことを特徴とする請求項１に記載の超微細気泡水発生装置。
【考案の詳細な説明】
【技術分野】
【０００１】
本考案は、特に、水を超微細気泡水として、美容・保養の機能を高めると同時に、高濃度の酸素を含有した超微細気泡水の発生することができる超微細気泡水発生装置に関する。
【背景技術】
【０００２】
現在、浴室設備に応用される一般的な微細気泡発生装置は、既に多くの異なる種類の設計構造があり、主に微細気泡発生装置を利用して管路中の気体を混合した液体を急速に加圧してたくさんの微細気泡を発生させ、それら微細気泡と洗浄物（例：身体）表面を動態的に接触させることで、洗浄効果とマッサージ効果を達成している。
【０００３】
中国実用新案公告第Ｍ２８２６７２号「液体にミルクを含んだような気泡を発生させる装置」には、空気を高圧ポンプのフィンアセンブリ内に吸入して液体と混合し、迅速に撹拌して微細気泡を形成した後、高圧チャンバに送って貯蔵し、比較的高い液体圧力によって気泡を更に微細化して水槽内の水に大量の微細気泡を混入させ、水中の酸素含有量を増加し、水をミルクのような色にすることが開示されている。
【０００４】
また、中国実用新案公告第Ｍ３１２３５８号「微細気泡の発生装置」には、前記装置が圧力センサーユニットを利用して、ポンプの出力端の圧力を測定し、その圧力に基づいて動態的に空気の混合量を調節することが開示されている。
【０００５】
さらに、中国実用新案公告第Ｍ３３２４８１号「微細気泡発生装置」には、前記微細気泡発生装置の気体溶解槽の上端に高・低水位の検出器を設置し、気体溶解槽の液位の高さを検出した後、動態的に空気と水の混合割合を調節し、水中の飽和空気が最良の状態になるようにすることが開示されている。
【０００６】
上述の各実用新案の技術内容は、加圧装置（例：ポンプ）により空気を含有した水を圧力貯蔵槽内に送り込み、微細気泡水を形成し、センサーを利用して測定を行い、圧力貯蔵槽内の微細気泡の空気と水の混合割合を維持するものである。
【先行技術文献】
【特許文献】
【０００７】
【特許文献１】中国実用新案公告第Ｍ２８２６７２号明細書
【特許文献２】中国実用新案公告第Ｍ３１２３５８号明細書
【特許文献３】中国実用新案公告第Ｍ３３２４８１号明細書
【考案の概要】
【考案が解決しようとする課題】
【０００８】
しかしながら、上記の従来の技術の気泡発生装置は、水分子の体積を小さくし、浸透力と人体の皮膚からの吸収性を高めることはできず、また、高濃度の酸素含有超微細気泡水の発生を制御することもできないため、使用効果が大幅に損なわれるものであった。
【０００９】
そこで、本考案は、これに鑑みてなされたもので、その目的は、水を美容、ケアの機能が高いとされる超微細気泡水にし、同時に高濃度の酸素を含有した超微細気泡水の発生を制御することができる超微細気泡水発生装置を提供することにある。
【課題を解決するための手段】
【００１０】
本考案の超微細気泡水発生装置は、
水槽と、
前記水槽内の水を汲み上げるためのポンプと、
前記水槽と前記ポンプとに接続された第１取水管と、
前記水槽内に配置されると共に前記第１取水管の端部に連結され、前記ポンプで前記水槽内の水を汲み上げるときに、水が逆流することを防止する逆止弁と、
前記第１取水管上に設置され、気体を取り込み水中に混合して気泡水を形成するために用いられる気体吸入器と、
前記ポンプの後段に配置されると共に、内部に入れられた前記気泡水を加圧して高度気泡混合水を形成するために用いられ、且つ内部に液体センサーが設置された圧力タンクと、
前記ポンプと前記圧力タンクとに連結された第２取水管と、
前記圧力タンクの後段に配置されると共に、気体をより小さな分子にして、前記高度気泡混合水を超微細気泡水にするために用いられる微細気泡装置と、
一端が前記圧力タンクに連結されると共に他端が前記微細気泡装置に連結され、かつ前記圧力タンク内の前記高度気泡混合水を輸送するための第１輸送管と、
前記圧力タンクの後段に配置され、且つ前記液体センサーと電気的に接続され、前記圧力タンク内の水と気体の圧力を制御して両者間のバランスを取ると共に、前記超微細気泡水の濃度を希釈する機能を備えた圧力弁と、
一端が前記圧力タンクに連結されると共に他端が前記圧力弁に連結された第２輸送管と、
一端が前記微細気泡装置に連結されると共に他端が前記水槽内に配置された第１出水管と、
一端が前記圧力弁に連結されると共に他端が前記第１出水管の中途に連結された第２出水管と、を含んで構成された、
ことを特徴とする。
【００１１】
前記気体吸入器は、一端に前記第１取水管の取水端が連結され、他端に前記第１取水管の出水端が連結され、かつ気体を取り込んで水中に混合するために用いる吸気弁を備える構成としてもよい。
前記圧力弁を電子式圧力弁で構成し、且つ前記圧力弁が前記圧力タンク内の水と気体の圧力を制御するために用いるバルブを備える構成としてもよい。
また、前記第２取水管上に、内部に複数対の磁石を備えた磁化器を設置し、水が前記第２取水管から前記磁化器に流れるときに前記磁化器が水を軟化、活性化、磁化する構成とするとよい。
【考案の効果】
【００１２】
本考案の超微細気泡水発生装置によれば、水を美容、ケアの機能が高いとされる超微細気泡水にし、同時に高濃度の酸素を含有した超微細気泡水の発生を制御することができる。
【図面の簡単な説明】
【００１３】
【図１】本考案の実施形態に係る超微細気泡水発生装置を示す概略図である。
【図２】磁化器の断面図である。
【考案を実施するための最良の形態】
【００１４】
以下、図面を参照して本考案の実施の形態を説明する。図１は本考案の実施形態に係る超微細気泡水発生装置を示す概略図である。図１に示すように、本考案の超微細気泡水発生装置は、水槽７と、水槽７内の水を汲み上げるためのポンプ２と、水槽７とポンプ２とに接続された第１取水管２１と、水槽７内に配置されると共に第１取水管２１の端部に連結され、ポンプ２で水槽７内の水を汲み上げるときに、水が逆流することを防止する逆止弁１と、第１取水管２１上に設置され、気体を取り込み水中に混合して気泡水を形成するために用いられる気体吸入器３と、ポンプ２の後段に配置されると共に、内部に入れられた気泡水を加圧して高度気泡混合水を形成するために用いられ、且つ内部に液体センサー４４が設置された圧力タンク４と、ポンプ２と圧力タンク４とに連結された第２取水管２２と、圧力タンク４の後段に配置されると共に、気体をより小さな分子にして、高度気泡混合水を超微細気泡水にするために用いられる微細気泡装置５と、一端が圧力タンク４に連結されると共に他端が微細気泡装置５に連結され、かつ圧力タンク４内の高度気泡混合水を輸送するための第１輸送管４２と、圧力タンク４の後段に配置され、且つ液体センサー４４と電気的に接続され、圧力タンク４内の水と気体の圧力を制御して両者間のバランスを取ると共に、超微細気泡水の濃度を希釈する機能を備えた圧力弁６と、一端が圧力タンク４に連結されると共に他端が圧力弁６に連結された第２輸送管４３と、一端が微細気泡装置５に連結されると共に他端が水槽７内に配置された第１出水管５１と、一端が圧力弁６に連結されると共に他端が第１出水管５１の中途に連結された第２出水管６２と、を含んで構成される。
【００１５】
ポンプ２はポンプモーターであり、その一端が第１取水管２１により逆止弁１に連結され、他端が第２取水管２２により圧力タンク４の内部に連結される。逆止弁１は水槽７内に配置され、ポンプ２が水槽７内の水を汲み出すときにその逆流を防止する。
【００１６】
気体吸入器３は、第１取水管２１上に設置され、気体を取り込んで水中に混合し、気泡水を形成するために用いられる。気体吸入器３は、一端が第１取水管２１の取水端に連結され、他端が第１取水管２１の出水端に連結される。気体吸入器３上には吸気弁３１が設置されている。
【００１７】
圧力タンク４は、筒状体であり、入れられた気泡水を加圧して高度気泡混合水を形成するために用いられ、圧力タンク４の上部には圧力ゲージ４１が設置され、圧力タンク４の内部には液体センサー４４が設置される。また、圧力タンク４の他側に第１輸送管４２と第２輸送管４３が連結されている。
【００１８】
微細気泡装置５は、第１輸送管４２に連結され、気体をより小さな分子にして、高度気泡混合水に超微細気泡水を形成させるために用いられ、その他側に第１出水管５１が設置される。
【００１９】
圧力弁６は、第２輸送管４３の他端に連結されている。圧力弁６は、電子式圧力弁としてもよく、液体センサー４４と電気的に接続され、かつバルブ６１が設けられ、圧力タンク４内の水と気体の圧力を制御して、水と気体のバランスを取るために用いられる。
【００２０】
圧力弁６の他側には、微細気泡装置５に連結された第１出水管５１の中途に連結された第２出水管６２が設置され、出力した超微細気泡水を水槽７内に送り込むために用いられる。
【００２１】
バルブ６１を閉じると、圧力タンク４の圧力が上がり、微細気泡装置５が出力する超微細気泡水が多くなる。逆にバルブ６１の開きを大きくするほど、圧力タンク４の圧力が減少し、微細気泡装置５が出力する超微細気泡水が少なくなる。
【００２２】
また、圧力タンク４内の高度気泡混合水の一部は、第２輸送管４３、圧力弁６及び第２出水管６２を経由し、微細気泡装置５が発生した超微細気泡水と第１出水管５１で合流して超微細気泡水を希釈し、微細気泡水を調節する機能を果たす。
【００２３】
使用時は、ポンプ２が水槽７内の水を汲み上げて逆止弁１を経由させた水と、前記気体吸入器３が取り込んだ気体と混合して気泡水を形成し、圧力タンク４内に送り込む。圧力タンク４は、気泡水を加圧して高度気泡混合水を形成した後、高度気泡混合水をさらに微細気泡装置５に流入させて気体をより小さな分子にすると共に、圧力弁６で圧力タンク４の圧力を制御し、最後に第２出水管６１と第１出水管５１の接続部分で超微細気泡水を制御して水槽７内に出力することができる。
【００２４】
また、図１に示すように、第２取水管２２上にさらに磁化器８を設置してもよい。図２は磁化器の断面図である。磁化器８内には複数対の磁石８２が設けられ、水が第２取水管２２から磁化器８に流れるとき、水を軟化、活性化、磁化することができる。
【００２５】
図２に示すように、磁化器８は、内管８１と複数対の磁石８２を含み、各対の磁石８２は概ね「Ｃ」字形を成す強力な磁石と、相対して概ね逆「Ｃ」字形を成す強力な磁石を含んで構成され、相対して内管８１を挟み込み内管８１の外側上に固定される。さらに外管８３がすでに固定された複数対の磁石８２の外側に設置され、取水管継手８４が内管８１と外管８３の一端上に取り付けられ、出水管継手８５が内管８１と外管８３の他端上に取り付けられる。
【００２６】
以上の説明は、本考案の最良の実施例に過ぎず、本考案の実施の範囲を限定するものではなく、当業者が本考案の要旨と範囲を逸脱せずに行なった同等の変化や修飾はすべて本考案の権利範囲内に含まれる。
【符号の説明】
【００２７】
１  逆止弁
２  ポンプ
２１  第１取水管
２２  第２取水管
３  気体吸入器
３１  吸気弁
４  圧力タンク
４１  圧力ゲージ
４２  第１輸送管
４３  第２輸送管
４４  液体センサー
５  微細気泡装置
５１  第１出水管
６  圧力弁
６１  バルブ
６２  第２出水管
７  水槽
８  磁化器
８１  内管
８２  磁石
８３  外管
８４  取水管継手
８５  出水管継手
【図１】
0003176175.tif 000003
【図２】
0003176175.tif 000004